(57)【特許請求の範囲】
【請求項１】
日本語テキストの入力を受け付けるテキスト入力部と、
前記受け付けられた日本語テキストに対して形態素解析を行って複数の形態素に分割した形態素列を出力する形態素解析部と、
前記形態素列において隣接している形態素の境界のいずれか１つに文字「の」を挿入することによって、前記形態素列について複数種類の検証フレーズを生成する検証フレーズ生成部と、
前記生成された検証フレーズが、文章コーパス中に現れる出現回数を計数する用例検索部と、
前記形態素列における前記検証フレーズ生成部による文字「の」の挿入位置に隣接している２つの形態素を結合させて得られる合成語のアクセントが該２つの形態素の各々についてのものから変化するアクセント結合現象が生じるか否かを、前記複数種類の検証フレーズ毎の前記出現回数に基づいて判定するアクセント結合判定部と、
形態素を単独で発音するときのアクセントを表すアクセント情報を該形態素毎に示した形態素テーブルと、前記アクセント結合現象が前記合成語に生じた場合に該合成語を構成している形態素に生じるアクセントの変化の態様を表す情報を該形態素毎に示したアクセント結合規則テーブルとが記憶されている記憶部と、
前記形態素列を構成している前記複数の形態素の各々についてのアクセント情報を前記形態素テーブルから取得し、該取得したアクセント情報のうちの前記アクセント結合判定部により前記アクセント結合現象が生じると判定された合成語を構成している形態素についてのアクセント情報を、前記結合規則テーブルに示されている該形態素についての前記アクセントの変化の態様を表す情報に従って変更して、前記受け付けられた日本語テキストについてのアクセントを作成して出力する結果出力部と、
を備え、
前記アクセント結合判定部は、前記複数種類の検証フレーズのうちで前記出現回数が最大である検証フレーズについての、その他の検証フレーズに対する前記出現回数の比が、該その他の検証フレーズのいずれにおいても所定の判定閾値よりも大きい場合であって、且つ、該出現回数が最大である検証フレーズが、前記形態素列における前記境界のうち最も後ろの境界に文字「の」を挿入して生成されたものではない場合には、前記出現回数が最大である検証フレーズにおける文字「の」挿入位置においては前記アクセント結合現象が生じないとの判定を下す、
ことを特徴とするアクセント付与装置。
【請求項２】
前記アクセント結合判定部は、前記複数種類の検証フレーズのうちで前記出現回数が最大である検証フレーズについての、その他の検証フレーズに対する前記出現回数の比が、該その他の検証フレーズのいずれにおいても所定の判定閾値よりも大きい場合であって、且つ、該出現回数が最大である検証フレーズが、前記形態素列における前記境界のうち最も後ろの境界に文字「の」を挿入して生成されたものである場合には、該最も後ろの境界の位置においてアクセント結合現象が生じるか否かを、予め用意されている、該最も後ろの境界に隣接している２つの形態素についてのアクセントの結合の規則に従って判定することを特徴とする請求項１に記載のアクセント付与装置。
【請求項３】
前記アクセント結合判定部は、前記複数種類の検証フレーズのうちで前記出現回数が最大である検証フレーズについての、その他の検証フレーズに対する前記出現回数の比が、該その他の検証フレーズのいずれかにおいて所定の判定閾値よりも小さい場合には、前記形態素列における前記境界のうち最も後ろの境界の位置においてアクセント結合現象が生じるか否かを、予め用意されている、該最も後ろの境界に隣接している２つの形態素についてのアクセントの結合の規則に従って判定することを特徴とする請求項１又は２に記載のアクセント付与装置。
【請求項４】
前記アクセント結合判定部は、前記複数種類の検証フレーズの各々についての前記出現回数が全てゼロである場合には、前記形態素列における前記境界の位置の全てにおいてアクセント結合現象が生じるとの判定を下すことを特徴とする請求項１から３のうちのいずれか一項に記載のアクセント判定装置。
【請求項５】
前記アクセント結合判定部は、前記形態素列における前記境界が２つのみの場合であって、且つ、そのうちの一方の位置においてはアクセント結合現象が生じないとの判定を下した場合には、そのうちの他方の位置においてはアクセント結合現象が生じるとの判定を下すことを特徴とする請求項１から４のうちのいずれか一項に記載のアクセント付与装置。
【請求項６】
前記形態素列における前記境界に、該境界の位置においてアクセント結合現象が生じるか否かの判定が下されていないものが残っている場合には、前記検証フレーズ生成部は、前記残っている境界のいずれか１つに文字「の」を挿入することによって前記形態素列について複数種類の検証フレーズを新たに生成し、
前記用例検索部は、前記新たに生成された検証フレーズについて前記出現回数を計数し、
前記アクセント結合判定部は、前記新たに生成された検証フレーズについての出現回数に基づいて、前記残っている境界の位置においてアクセント結合現象が生じるか否かの判定を行う、
ことを特徴とする請求項１から５のうちのいずれか一項に記載のアクセント付与装置。
【請求項７】
前記検証フレーズ生成部は、前記複数種類の検証フレーズを新たに生成するときには、前記形態素列におけるアクセント結合現象が生じないとの判定が既に下されている境界の位置において該形態素列を２つに分割し、分割された２つの形態素列の各々について、前記検証フレーズを新たに生成することを特徴とする請求項６に記載のアクセント付与装置。
【請求項８】
前記形態素解析部が出力した形態素列を構成している複数の形態素のうちに、単体では語彙的な意味をなしておらず、他の形態素と共に用いられる形態素が含まれていた場合に、該形態素と該他の形態素とを結合させて得られる合成語を１つの形態素として扱うようにすることによって、該形態素列の修正を行う形態素修正部を更に備え、
前記検証フレーズ生成部は、前記形態素修正部が修正した形態素列について前記検証フレーズを生成する、
ことを特徴とする請求項１から７のうちのいずれか一項に記載のアクセント付与装置。
【請求項９】
前記形態素修正部は、前記形態素解析部が出力した形態素列を構成している複数の形態素に接辞である形態素が含まれていた場合には、該接辞である形態素と該複数の形態素のうちの該接辞についての語幹である形態素とを結合させて得られる合成語を１つの形態素として扱うようにすることによって、該形態素列の修正を行うことを特徴とする請求項８に記載のアクセント付与装置。
【請求項１０】
アクセント付与装置が行うアクセント付与方法であって、
前記アクセント付与装置が備えている形態素解析部が、入力された日本語テキストに対して形態素解析を行って複数の形態素に分割した形態素列を生成し、
前記アクセント付与装置が備えている検証フレーズ生成部が、前記生成された形態素列において隣接している形態素の境界のいずれか１つに文字「の」を挿入することによって、前記生成された形態素列について複数種類の検証フレーズを生成し、
前記アクセント付与装置が備えている用例検索部が、前記生成された複数種類の検証フレーズが、文章コーパス中に現れる出現回数を計数し、
前記アクセント付与装置が備えているアクセント結合判定部が、前記複数種類の検証フレーズを生成したときに挿入した文字「の」についての前記生成された形態素列における挿入位置に隣接している２つの形態素を結合させて得られる合成語のアクセントが該２つの形態素の各々についてのものから変化するアクセント結合現象が生じるか否かを、前記複数種類の検証フレーズ毎の前記出現回数に基づいて判定し、
前記アクセント付与装置が備えている結果出力部が、前記生成された形態素列を構成している前記複数の形態素の各々についてのアクセント情報を形態素テーブルから取得し、該取得したアクセント情報のうちの前記アクセント結合現象が生じると判定された合成語を構成している形態素についてのアクセント情報を、結合規則テーブルに示されている該形態素についてのアクセントの変化の態様を表す情報に従って変更して、前記入力された日本語テキストについてのアクセントを作成して出力し、
前記形態素テーブルは、形態素を単独で発音するときのアクセントを表すアクセント情報を該形態素毎に示したテーブルであって前記アクセント付与装置が備えている記憶部に記憶されており、
前記結合規則テーブルは、前記アクセント結合現象が前記合成語に生じた場合に該合成語を構成している形態素に生じるアクセントの変化の態様を表す情報を該形態素毎に示したテーブルであって前記アクセント付与装置が備えている記憶部に記憶されており、
前記アクセント結合判定部による前記判定では、前記複数種類の検証フレーズのうちで前記出現回数が最大である検証フレーズについての、その他の検証フレーズに対する前記出現回数の比が、該その他の検証フレーズのいずれにおいても所定の判定閾値よりも大きい場合であって、且つ、該出現回数が最大である検証フレーズが、前記形態素列における前記境界のうち最も後ろの境界に文字「の」を挿入して生成されたものではない場合には、前記出現回数が最大である検証フレーズにおける文字「の」挿入位置においては前記アクセント結合現象が生じないとの判定を下す、
ことを特徴とするアクセント付与方法。
【請求項１１】
入力された日本語テキストに対して形態素解析を行って複数の形態素に分割した形態素列を生成し、
前記生成された形態素列において隣接している形態素の境界のいずれか１つに文字「の」を挿入することによって、前記生成された形態素列について複数種類の検証フレーズを生成し、
前記生成された複数種類の検証フレーズが、文章コーパス中に現れる出現回数を計数し、
前記複数種類の検証フレーズを生成したときに挿入した文字「の」についての前記生成された形態素列における挿入位置に隣接している２つの形態素を結合させて得られる合成語のアクセントが該２つの形態素の各々についてのものから変化するアクセント結合現象が生じるか否かを、前記複数種類の検証フレーズ毎の前記出現回数に基づいて判定し、
前記生成された形態素列を構成している前記複数の形態素の各々についてのアクセント情報を形態素テーブルから取得し、該取得したアクセント情報のうちの前記アクセント結合現象が生じると判定された合成語を構成している形態素についてのアクセント情報を、結合規則テーブルに示されている該形態素についてのアクセントの変化の態様を表す情報に従って変更して、前記入力された日本語テキストについてのアクセントを作成して出力する、
処理をコンピュータに実行させ、
前記形態素テーブルは、形態素を単独で発音するときのアクセントを表すアクセント情報を該形態素毎に示したテーブルであって前記コンピュータが備えている記憶部に記憶させておき、
前記結合規則テーブルは、前記アクセント結合現象が前記合成語に生じた場合に該合成語を構成している形態素に生じるアクセントの変化の態様を表す情報を該形態素毎に示したテーブルであって前記コンピュータが備えている記憶部に記憶させておき、
前記アクセント結合現象が生じるか否かの判定では、前記複数種類の検証フレーズのうちで前記出現回数が最大である検証フレーズについての、その他の検証フレーズに対する前記出現回数の比が、該その他の検証フレーズのいずれにおいても所定の判定閾値よりも大きい場合であって、且つ、該出現回数が最大である検証フレーズが、前記形態素列における前記境界のうち最も後ろの境界に文字「の」を挿入して生成されたものではない場合には、前記出現回数が最大である検証フレーズにおける文字「の」挿入位置においては前記アクセント結合現象が生じないとの判定を下す、
プログラム。
【発明の詳細な説明】
【技術分野】
【０００１】
本明細書で議論される実施態様は、テキストを音声に変換する音声合成の技術に関するものである。
【背景技術】
【０００２】
テキストを音声に変換する音声合成において、正しいアクセントを付与して読み上げを行うようにすることは、読み上げ音声を聞くユーザの理解度に大きく影響する。
複数の単語がまとまって１つの語を形成するいわゆる複合語においては、個々の単語のアクセントが変化して、元の単語の各々のアクセントとは異なるアクセントになるアクセント結合現象が生じる場合がある。このアクセント結合現象にはアクセントの変化パターンが複数あり、画一的な規則が全ての場合に当てはまるものではない。
【０００３】
このようなアクセント結合現象を正しく解析するために、単語の属性と、その属性毎に設定されたアクセント結合規則とを利用した解析の技術が幾つか知られている。具体的には、数詞及び助数詞に関する規則、属語に関する規則、品詞毎の規則、孤立単語に関する規則、連体詞とカタカナ又は漢字の名詞に関する規則、並びに形態素が接続する接続先の語の品詞毎の規則などを利用するという技術が知られている。また、この他にも、自立語に付属語が結合する際の規則や、隣接する単語の意味情報及び品詞情報に基づく規則などを利用するという技術も知られている。
【０００４】
また、この他の複合語のアクセントを獲得する技術として、複合語そのものを辞書に登録しておくという技術や、辞書に未登録の単語について類似する複合単語を検索し、その類似単語のアクセント結合規則を利用するという技術が知られている。
【０００５】
なお、この他の背景技術として、出力音のアクセント生成時に統合的な規則で処理できない例外事例に対して適切な位置にアクセントを付与できるようにするという技術が知られている。
【０００６】
また、予め用意されたテキストコーパス中のテキストに含まれる形態素列の複合語の頻度情報に基づいて作成された学習データに基づいて合成対象テキストからの複合語に対するアクセント情報を決定するという技術が知られている。
【０００７】
更に、アクセント句の分割・結合時に、その句のアクセント結合規則に基づき、形態素からなる複数のアクセント句の組み合わせに対応付けられたアクセント句情報を生成しておき、その情報から任意の文字列の選択すべき情報を検索するという技術が知られている。
【先行技術文献】
【特許文献】
【０００８】
【特許文献１】特開平１１−２３１８９８号公報
【特許文献２】特開平０８−１８５１９５号公報
【特許文献３】特開平０２−１８６３９７号公報
【特許文献４】特開平０２−００５０９７号公報
【特許文献５】特開昭６３−０９４２９８号公報
【特許文献６】特開昭６１−００６６９３号公報
【特許文献７】特開昭５８−１８１０９８号公報
【特許文献８】特開平０４−０３６７９９号公報
【特許文献９】特開２００８−１６４７８５号公報
【特許文献１０】特開２００８−１１６６５０号公報
【特許文献１１】特開平０８−１９０３９７号公報
【特許文献１２】特開２００２−２５８８８４号公報
【特許文献１３】特開２００５−２４２０２９号公報
【発明の概要】
【発明が解決しようとする課題】
【０００９】
複合語のアクセントを獲得する前述した各種の技術は、２つの単語からなる複合語に対しては有効性が高いが、３単語以上からなる複合語には十分には対応できないという問題がある。３単語以上の複合語は意味的なつながりが重要であり、各単語間の意味関係を考慮しなければならず、従って、単純な品詞や属性だけでは３単語以上からなる複合語のアクセント結合を正しく判断することが困難であるためである。また、このような意味関係は背景知識がないと解析できないことも多い。更に、３単語以上からなる複合語は膨大な数の組合せがあるため、複合語辞書を予め用意しておくのも困難である。
【００１０】
上述した問題に鑑み、本明細書で後述するアクセント付与装置は、３単語以上からなる日本語テキストでもアクセント結合現象を適切に解析できるようにする。
【課題を解決するための手段】
【００１１】
本明細書で後述するアクセント付与装置のひとつに、テキスト入力部と、形態素解析部と、検証フレーズ生成部と、用例検索部と、アクセント結合判定部と、結果出力部とを備えるというものがある。ここで、テキスト入力部は、日本語テキストの入力を受け付ける。形態素解析部は、受け付けられた日本語テキストに対して形態素解析を行って複数の形態素に分割した形態素列を出力する。検証フレーズ生成部は、この形態素列において隣接している形態素の境界のいずれか１つに文字「の」を挿入することによって、当該形態素列について複数種類の検証フレーズを生成する。用例検索部は、生成された検証フレーズが、文章コーパス中に現れる出現回数を計数する。アクセント結合判定部は、この形態素列における検証フレーズ生成部による文字「の」の挿入位置に隣接している２つの形態素を結合させて得られる合成語にアクセント結合現象が生じるか否かを、複数種類の検証フレーズ毎の前述の出現回数に基づいて判定する。なお、アクセント結合現象とは、当該合成語のアクセントが当該２つの形態素の各々についてのものから変化する現象のことである。結果出力部は、形態素列を構成している複数の形態素の各々についてのアクセント情報を、アクセント結合判定部での判定結果に基づいて変更して、受け付けられた日本語テキストについてのアクセントを作成して出力する。
【００１２】
また、本明細書で後述するアクセント付与方法のひとつは、まず、入力された日本語テキストに対して形態素解析を行って複数の形態素に分割した形態素列を生成する。次に、生成された形態素列において隣接している形態素の境界のいずれか１つに文字「の」を挿入することによって、当該生成された形態素列について複数種類の検証フレーズを生成する。次に、生成された複数種類の検証フレーズが、文章コーパス中に現れる出現回数を計数する。次に、複数種類の検証フレーズを生成したときに挿入した文字「の」についての生成された形態素列における挿入位置に隣接している２つの形態素を結合させて得られる合成語にアクセント結合現象が生じるか否かを判定する。なお、アクセント結合現象とは、当該合成語のアクセントが当該２つの形態素の各々についてのものから変化する現象のことであり、この判定は、複数種類の検証フレーズ毎の前述の出現回数に基づいて行われる。そして、生成された形態素列を構成している複数の形態素の各々についてのアクセント情報を、アクセント結合現象が生じるか否かの判定結果に基づいて変更して、入力された日本語テキストについてのアクセントを作成して出力する。
【００１３】
また、本明細書で後述するプログラムのひとつは、以下の処理をコンピュータに行わせる。この処理は、まず、入力された日本語テキストに対して形態素解析を行って複数の形態素に分割した形態素列を生成する。次に、生成された形態素列において隣接している形態素の境界のいずれか１つに文字「の」を挿入することによって、当該生成された形態素列について複数種類の検証フレーズを生成する。次に、生成された複数種類の検証フレーズが、文章コーパス中に現れる出現回数を計数する。次に、複数種類の検証フレーズを生成したときに挿入した文字「の」についての生成された形態素列における挿入位置に隣接している２つの形態素を結合させて得られる合成語にアクセント結合現象が生じるか否かを判定する。なお、アクセント結合現象とは、当該合成語のアクセントが当該２つの形態素の各々についてのものから変化する現象のことであり、この判定は、複数種類の検証フレーズ毎の前述の出現回数に基づいて行われる。そして、生成された形態素列を構成している複数の形態素の各々についてのアクセント情報を、アクセント結合現象が生じるか否かの判定結果に基づいて変更して、入力された日本語テキストについてのアクセントを作成して出力する。
【発明の効果】
【００１４】
本明細書で後述するアクセント付与装置は、３単語以上からなる日本語テキストでもアクセント結合現象を適切に解析できるという効果を奏する。
【図面の簡単な説明】
【００１５】
【図１】アクセント付与装置の一実施例の機能構成図である。
【図２】形態素テーブルの例を表した図である。
【図３】形態素解析の手法の一例の説明図である。
【図４】アクセント結合規則の例を表した図である。
【図５】アクセント付与装置の一実施例のハードウェア構成例を表した図である。
【図６】アクセント付与処理の処理内容を図解したフローチャートである。
【発明を実施するための形態】
【００１６】
まず図１について説明する。図１は、アクセント付与装置の一実施例の機能構成図である。
図１のアクセント付与装置１０は、テキスト入力部１１、形態素解析部１２、形態素修正部１３、検証フレーズ生成部１４、用例検索部１５、アクセント結合判定部１６、及び結果出力部１７を備えている。
【００１７】
テキスト入力部１１は、日本語テキスト（ひらがな・カタカナ・漢字等のテキスト）の入力を受け付けて形態素解析部１２へ出力する。
形態素解析部１２は、テキスト入力部１１により受け付けられた日本語テキストに対して形態素解析を行って、複数の形態素に分割した形態素列を出力する。
【００１８】
この日本語テキストの形態素解析の手法としては、どのような手法を用いてもよい。図１の形態素解析部１２において用いることのできる形態素解析の手法の一例について簡単に説明しておく。
【００１９】
この形態素解析の手法では、アクセント付与装置１０に予め用意されている単語辞書２１が用いられる。図２は、単語辞書２１が有している形態素テーブルの例を表している。
【００２０】
図２の形態素テーブルでは、形態素である文字列の「表記」に、当該形態素の「読み」と、当該形態素を単独で発音するときの「アクセント」と、当該文字列で表されている形態素の「品詞」とが対応付けられて登録されている。また、形態素テーブルに登録されている形態素には、名詞だけではなく、動詞の語幹や、活用語尾、助詞や助動詞なども登録されている。
【００２１】
なお、以降の説明では、ある文字列についてのアクセント核の位置を、カタカナで表記した当該文字列の読みにアポストロフィ『’』を付して表記することによって、この文字列についてのアクセントの情報を表現するようにする。図２の形態素テーブルにおいても、「アクセント」のデータは、この表現手法を用いている。
【００２２】
例えば『今日は晴れ』という日本語テキストが形態素解析部１２に入力されたものとする。形態素解析部１２は、単語辞書２１を参照し、この日本語テキストを、考えられ得る形態素の組合せに展開する。図３は、形態素解析部１２が単語辞書２１を用いて『今日は晴れ』を様々な形態素の組合せに展開した状態を表している。次に、形態素解析部１２は、列挙された形態素の組合せの各組に対し、形態素間の接続の規則（例えば、動詞の活用語尾は、動詞の語幹の後には接続し易く、名詞の後には接続し難い）や、文字数が多い形態素を優先する規則などといった各種の規則を適用する。そして、これらの規則への適合性を数値化することによって、最適と思われる形態素の組合せを選択し、選択された形態素の組合せを、形態素解析の結果とする。図３では、このようにして選択された形態素の組合せ『今日』、『は』、『晴れ』を、『今日は晴れ』の形態素解析の結果として、太線矢印により表現している。
【００２３】
形態素修正部１３は、形態素解析部１２が出力した形態素列を構成している複数の形態素のうちに、単体では語彙的な意味をなしておらず、他の形態素と共に用いられるものが含まれていた場合に機能する。形態素修正部１３は、この場合に、そのような形態素と当該他の形態素とを結合させて得られる合成語を１つの形態素として扱うようにすることによって、当該形態素列の修正を行う。例えば、形態素列を構成している複数の形態素に接辞が含まれていた場合には、形態素修正部１３は、この接辞である形態素と当該複数の形態素のうちの当該接辞についての語幹である形態素とを結合させて得られる合成語を１つの形態素として扱うようにする。なお、接辞とは、例えば接頭辞や接尾辞であり、元の語（語幹）である形態素に結合することによって、当該元の語の意味を補足若しくは変更し、あるいは品詞を当該元の語から変更する形態素である。例えば、助数詞は、数を表す語の後に結合して数詞を作る接尾辞であり、接辞の一例である。なお、本実施例では、形態素が接辞であるか否かを表している情報についても、単語辞書２１の形態素テーブルに登録されており、形態素修正部１３は、この情報を用いて形態素列の修正を行うものとする。
【００２４】
検証フレーズ生成部１４には、形態素解析部１２から出力された形態素列が入力される。但し、形態素解析部１２から出力された形態素列を形態素修正部１３が修正した場合には、形態素修正部１３による修正後の形態素列が検証フレーズ生成部１４に入力される。検証フレーズ生成部１４は、入力された形態素列において隣接している形態素の境界のいずれか１つに、助詞である文字『の』を挿入することによって、当該形態素列について複数種類の検証フレーズを生成する。
【００２５】
用例検索部１５は、検証フレーズ生成部１４により生成された複数種類の検証フレーズの各々について、アクセント付与装置１０に予め用意されている文章コーパス２２に現れる出現回数を計数する。本実施例では、文章コーパス２２として、一般的な日本語の文を数十万乃至数十億程度有している大規模なものを使用する。なお、文章コーパス２２は必ずしも予め用意しておいてアクセント付与装置１０の内部に保持しておく必要はなく、例えばネットワーク越しに外部に存在する文章コーパスを参照する形態としてもよい。
【００２６】
アクセント結合判定部１６は、検証フレーズ生成部１４に入力された形態素列における文字『の』の挿入位置に隣接している２つの形態素を結合させると、アクセント結合現象が生じるか否かを判定する。アクセント結合現象とは、この２つの形態素を結合させた合成語のアクセントがその２つの形態素の各々についてのものから変化する現象である。アクセント結合判定部１６は、この判定を、この２つの形態素に各々対応付けられている２つの形態素間のアクセント結合規則２３に基づくことに加えて、更に、用例検索部１５による、複数種類の検証フレーズ毎の前記出現回数の計数結果にも基づいて行う。
【００２７】
アクセント結合規則２３はアクセント付与装置１０に予め用意されている。図４は、アクセント結合規則２３の例を表している。
図に例示したアクセント結合規則２３のテーブルには、「見出し語」、「位置」、「影響」、「結合先品詞」、「結合有無」、「変形型」、及びの「例外」の各フィールドが設けられている。
【００２８】
「見出し語」には、アクセント結合現象の発生有無の判定対象である合成語を構成している形態素が格納される。
「位置」には、「見出し語」である形態素についての、判定対象である合成語中における位置がその『前方』であるか『後方』であるかを表すデータが格納される。
【００２９】
「影響」には、「見出し語」である形態素と、当該形態素と結合して合成語を構成している相手方の形態素との間で、後述する「結合有無」の情報が相反した場合に、どちらの「結合有無」の情報を採用するかを決定する情報が格納される。より具体的には、この「影響」には『大』若しくは『小』を表すデータが格納される。ここで、合成語を構成している２つの形態素の間で「結合有無」の情報が相反した場合には、「影響」データが『大』である方の形態素の「結合有無」の情報が、当該合成語においてアクセント結合現象が生じるか否かの判定結果とされる。なお、２つの形態素の間で「影響」データが同一である場合には、当該２つの形態素で構成されている合成語においての位置が後方である方の形態素の「結合有無」の情報が、当該合成語においてアクセント結合現象が生じるか否かの判定結果とされる。
【００３０】
「結合先品詞」には、「見出し語」である形態素と結合して合成語を構成している相手方の形態素の品詞の情報が格納される。
「結合有無」には、「見出し語」である形態素を使用して合成語を構成した場合にアクセント結合現象が生じるか否かを表すデータとして、『有』若しくは『無』を表すデータが格納される。
【００３１】
「変形型」には、アクセント結合現象が生じた場合においての、「見出し語」である形態素のアクセントの変化の態様を表す情報が格納される。例えば、「変形型」が『１型化』である形態素は、当該形態素のモーラ（mora：日本語における拍）における１番目（すなわち先頭）にアクセントが与えられることを表している。また、「変形型」が『Ｎ型化』である形態素は、Ｎ個のモーラを有している当該形態素におけるＮ番目（すなわち末尾）のモーラにアクセントが与えられることを表している。更に、「変形型」が『Ｎ−１型化』である形態素は、Ｎ個のモーラを有している当該形態素におけるＮ−１番目（すなわち末尾もモーラから１モーラ戻った位置）のモーラにアクセントが与えられることを表している。一方、「変形型」が『平板化（０型化）』である形態素は、当該形態素単独の場合には付されていたアクセントを消失させる（平板化する）ことを表している。なお、「変形型」が『無変形』である形態素は、当該形態素を用いて構成された合成語にアクセント結合現象が生じても、当該形態素自身にはアクセントの変化が生じないことを表している。
【００３２】
「例外」には、「見出し語」である形態素と結合して合成語を構成する相手方の形態素のリストであって、当該合成語についてのアクセント結合現象の発生有無の判定が以上までの規則から外れるもののリストである。これらのリストされている形態素と「見出し語」の形態素とからなる合成語についてのアクセント結合現象の発生有無の判定は、当該「見出し語」の形態素においての「結合先品詞」が『例外』とされているレコードにおける「結合有無」の情報に基づいて行われる。
【００３３】
アクセント結合判定部１６による、アクセント結合規則２３と検証フレーズ毎の文章コーパス２２中の出現回数とに基づいた、アクセント結合現象の発生有無の判定手法の詳細については後述する。
【００３４】
結果出力部１７は、テキスト入力部１１により受け付けられた日本語テキストについてのアクセント情報を作成して出力する。このアクセント情報の作成は、検証フレーズ生成部１４に入力された形態素列を構成している複数の形態素の各々についてのアクセント情報を、アクセント結合判定部１６での判定結果に基づいて変更することによって行われる。
【００３５】
以上のように構成されているアクセント付与装置１０は、日本語テキストを構成する各形態素間の意味の切れ目を、文章コーパス２２の用例を用いて推定することによって、複数の形態素からなる日本語テキストを２つの形態素からなる合成語にまで落とし込む。アクセント付与装置１０は、このようにすることで、３単語以上からなる日本語テキストでもアクセント結合現象を適切に解析することができる。
【００３６】
また、このアクセント付与装置１０は、形態素修正部１３を備えたことで、単体では語彙的な意味をなさない形態素を単体で扱うことによって生じ得る、意味の切れ目の誤りに基づいた用例の検索が防止されるので、アクセント結合現象の解析精度が向上する。
【００３７】
また、アクセント付与装置１０におけるアクセント結合判定部１６は、検証フレーズ生成部１４に入力された形態素列における文字『の』の挿入位置に隣接している２つの形態素を結合させると、アクセント結合現象が生じるか否かの判定を、以下のようにして行う。
【００３８】
アクセント結合判定部１６は、まず、検証フレーズ生成部１４により生成された複数種類の検証フレーズのうちで、用例検索部１５により計数された前述の出現回数が最大である検証フレーズに注目する。このときに注目された検証フレーズを、「判定対象検証フレーズ」と称することとする。アクセント結合判定部１６は、次に、この判定対象検証フレーズについての、検証フレーズ生成部１４により生成された複数種類の検証フレーズのうちの当該判定対象検証フレーズ以外の検証フレーズに対する前述の出現回数の比が、当該判定対象検証フレーズ以外の検証フレーズのいずれにおいても所定の判定閾値よりも大きいか否かを判定する。なお、この判定において、当該判定対象検証フレーズ以外の検証フレーズについての出現回数がゼロである場合には、判定対象検証フレーズについての、当該判定対象検証フレーズ以外の検証フレーズに対する前述の出現回数の比は所定の判定閾値よりも大きいとの判定を下すものとする。
【００３９】
アクセント結合判定部１６は、上述の比が、当該判定対象検証フレーズ以外の検証フレーズのいずれにおいても所定の判定閾値よりも大きいとの判定を下した場合には、次に、判定対象検証フレーズにおいて検証フレーズ生成部１４が挿入した文字『の』の挿入位置に注目する。アクセント結合判定部１６は、ここで、この判定対象検証フレーズにおける文字『の』の挿入位置が、検証フレーズ生成部１４に入力された形態素列において隣接している形態素の境界のうち最も後ろの境界であるか否かを判定する。なお、以下の説明では、この最も後ろの境界を、「最後尾の境界」と称することとする。
【００４０】
アクセント結合判定部１６は、ここで、文字『の』の挿入位置が最後尾の境界でない場合には、この挿入位置においてはアクセント結合現象が生じないとの判定を下す。一方、アクセント結合判定部１６は、ここで、文字『の』の挿入位置が最後尾の境界である場合には、この最後尾の境界においてアクセント結合現象が生じるか否かを、最後尾の境界に隣接している２つの形態素についてのアクセント結合規則２３に従って判定する。
【００４１】
ところで、アクセント結合判定部１６は、前述の比が、当該判定対象検証フレーズ以外の検証フレーズのいずれかにおいて所定の判定閾値よりも小さいとの判定を下した場合にも、最後尾の境界においてアクセント結合現象が生じるか否かを、上述の場合と同様に判定する。すなわち、アクセント結合判定部１６は、この場合においても、最後尾の境界においてアクセント結合現象が生じるか否かを、その最後尾の境界に隣接している２つの形態素についてのアクセント結合規則２３に従って判定する。
【００４２】
なお、検証フレーズ生成部１４により生成された複数種類の検証フレーズの各々について用例検索部１５により計数された前述の出現回数が全てゼロである場合もあり得る。この場合には、アクセント結合判定部１６は、検証フレーズ生成部１４に入力された形態素列における前記境界の位置の全てにおいてアクセント結合現象が生じるとの判定を下す。
【００４３】
また、検証フレーズ生成部１４に入力された形態素列において隣接している形態素の境界が２つのみの場合であって、且つ、そのうちの一方の位置においてはアクセント結合現象が生じないとの判定をアクセント結合判定部１６が下した場合があり得る。この場合には、アクセント結合判定部１６は、そのうちの他方の位置においてはアクセント結合現象が生じるとの判定を下す。
【００４４】
アクセント結合判定部１６は、以上のようにして、検証フレーズ生成部１４に入力された形態素列における文字『の』の挿入位置においてアクセント結合現象が生じるか否かを判定する。この判定を以上の手法によって行うことで、用例の文章コーパス２２での出現回数の多さから意味の切れ目を推定することができる。また、このようにすることで、最後尾の境界において意味の切れ目が推定された場合は、当該最後尾の境界に隣接する形態素に対応付けられているアクセント結合規則２３を重視したアクセント結合現象の解析を行うことができる。従って、アクセント結合判定部１６が以上のようにしてアクセント結合現象が生じるか否かの判定を行うことで、アクセント結合現象の解析精度が向上する。
【００４５】
なお、アクセント結合判定部１６が以上のようにして文字『の』の挿入位置においてアクセント結合現象が生じるか否かの判定を行った後においても、形態素列における他の境界の位置で当該判定が下されていないものが依然として残っている場合がある。この場合には、検証フレーズ生成部１４は、当該残っている境界のいずれか１つに文字『の』を挿入することによって当該形態素列について複数種類の検証フレーズを新たに生成するようにしてもよい。なお、この場合には、用例検索部１５は、新たに生成された検証フレーズについて前記出現回数を計数するようにする。また、アクセント結合判定部１６は、新たに生成された検証フレーズについての出現回数に基づいて、当該残っている境界の位置においてアクセント結合現象が生じるか否かの判定を行うようにする。なお、ここで、検証フレーズ生成部１４は、複数種類の検証フレーズを新たに生成するときには、当該形態素列におけるアクセント結合現象が生じないとの判定が既に下されている境界の位置において該形態素列を２つに分割する。そして、分割された２つの形態素列の各々について、前記検証フレーズを新たに生成するようにする。
【００４６】
上述の場合にアクセント付与装置１０の各構成要素が上述のように動作することにより、４単語以上からなる日本語テキストでも、アクセント結合現象の発生の有無の判定が逐次的が行われるので、アクセント結合現象を適切に解析することができる。
【００４７】
次に図５について説明する。図５は、図１のアクセント付与装置１０のハードウェア構成の一例を表している。
本構成例においては、アクセント付与装置１０はコンピュータ３０により構成されている。コンピュータ３０は、ＭＰＵ３１、ＲＯＭ３２、ＲＡＭ３３、ハードディスク装置３４、入力装置３５、出力装置３６、インタフェース装置３７、及び記録媒体駆動装置３８を備えている。なお、これらの構成要素はバスライン３９を介して接続されており、ＭＰＵ３１の管理の下で各種のデータを相互に授受することができる。
【００４８】
ＭＰＵ（Micro Processing Unit）３１は、コンピュータ３０全体の動作を制御する演算処理装置である。
ＲＯＭ（Read Only Memory）３２は、所定の基本制御プログラムが予め記録されている読み出し専用半導体メモリである。ＭＰＵ３１は、この基本制御プログラムをコンピュータ３０の起動時に読み出して実行することにより、コンピュータ３０の各構成要素の動作制御が可能になる。なお、ＲＯＭ３２として、フラッシュメモリ等の、記憶データが不揮発性であるメモリを使用してもよい。
【００４９】
ＲＡＭ（Random Access Memory）３３は、ＭＰＵ３１が各種の制御プログラムを実行する際に、必要に応じて作業用記憶領域として使用する、随時書き込み読み出し可能な半導体メモリである。
【００５０】
ハードディスク装置３４は、ＭＰＵ３１によって実行される各種の制御プログラムや各種のデータを記憶しておく記憶装置である。ＭＰＵ３１は、ハードディスク装置３４に記憶されている所定の制御プログラムを読み出して実行することにより、各種の制御処理を行えるようになる。このコンピュータ３０を用いてアクセント付与装置１０を構成する場合には、このハードディスク装置３４には図１の単語辞書２１、文章コーパス２２、及びアクセント結合規則２３を予め格納しておくようにする。
【００５１】
入力装置３５は、例えばキーボード装置やマウス装置であり、例えばアクセント付与装置１０の使用者により操作されると、その操作内容に対応付けられている使用者からの各種情報の入力を取得し、取得した入力情報をＭＰＵ３１に送付する。アクセント付与装置１０への入力である日本語テキストは、例えば入力装置３５によって受け付けられる。
【００５２】
出力装置３６は例えばスピーカや液晶ディスプレイであり、ＭＰＵ３１から送付される出力データに応じ、合成音声の発音や、各種のテキスト・画像の表示を行う。アクセント付与装置１０の出力である、入力された日本語テキストについてのアクセントは、例えば、発音される当該日本語テキストについての合成音声に与えられて出力装置３６から出力され、あるいは、例えば、前述した表記法により出力装置３６で表示される。
【００５３】
インタフェース装置３７は、このコンピュータ３０に接続される各種機器との間での各種情報の授受の管理を行う。アクセント付与装置１０への入力である日本語テキストは、例えば他の機器から出力されてインタフェース装置３７で受け付けるようにしてもよい。また、アクセント付与装置１０の出力である、入力された日本語テキストについてのアクセントは、例えば、そのアクセントの情報をインタフェース装置３７から出力して他の機器へ送付するようにしてもよい。
【００５４】
記録媒体駆動装置３８は、可搬型記録媒体４０に記録されている各種の制御プログラムやデータの読み出しを行う装置である。ＭＰＵ３１は、可搬型記録媒体４０に記録されている所定の制御プログラムを、記録媒体駆動装置３８を介して読み出して実行することによって、後述するアクセント付与処理を行うようにすることもできる。なお、可搬型記録媒体４０としては、例えばＣＤ−ＲＯＭ（Compact Disc Read Only Memory）やＤＶＤ−ＲＯＭ（Digital Versatile Disc Read Only Memory）、ＵＳＢ（Universal Serial Bus）規格のコネクタが備えられているフラッシュメモリなどがある。
【００５５】
このようなコンピュータ３０を用いてアクセント付与装置１０を構成するには、例えば、後述するアクセント付与処理をＭＰＵ３１に行わせるための制御プログラムを作成する。作成された制御プログラムはハードディスク装置３４若しくは可搬型記録媒体４０に予め格納しておく。また、ハードディスク装置３４には単語辞書２１、文章コーパス２２、及びアクセント結合規則２３を予め格納しておくようにする。そして、ＭＰＵ３１に所定の指示を与えてこの制御プログラムを読み出させて実行させる。こうすることで、コンピュータ３０を、テキスト入力部１１、形態素解析部１２、形態素修正部１３、検証フレーズ生成部１４、用例検索部１５、アクセント結合判定部１６、及び結果出力部１７として機能させることが可能となる。
【００５６】
次に、コンピュータ３０のＭＰＵ３１により行われるアクセント付与処理について説明する。図６は、このアクセント付与処理の処理内容を図解したフローチャートである。
図６の処理が開始されると、まず、Ｓ１０１において、テキスト入力処理をＭＰＵ３１が行う。この処理は、日本語テキスト（ひらがな・カタカナ・漢字等のテキスト）のコンピュータ３０（例えば入力装置３５やインタフェース装置３７）への入力を取得する処理である。この処理を行うＭＰＵ３１はテキスト入力部１１として機能する。
【００５７】
次に、Ｓ１０２では、形態素解析処理をＭＰＵ３１が行う。この処理は、Ｓ１０１の処理により取得された日本語テキストに対して形態素解析を行って、複数の形態素に分割した形態素列を得る処理である。本実施例では、ハードディスク装置３４に予め格納されている単語辞書２１を使用し、図２及び図３を用いて既に説明した形態素解析の手法を用いて、この形態素解析処理をＭＰＵ３１が行う。この処理を行うＭＰＵ３１は形態素解析部１２として機能する。
【００５８】
次に、Ｓ１０３では、形態素修正処理をＭＰＵ３１が行う。この処理は、Ｓ１０２の処理により得られた形態素列を構成している複数の形態素から、単体では語彙的な意味をなしておらず他の形態素と共に用いられる形態素と、当該他の形態素とを抽出して両者を結合して１つの形態素として扱うようにする処理である。例えば、形態素列を構成している複数の形態素に接辞が含まれていた場合には、この処理により、この接辞である形態素と当該複数の形態素のうちの当該接辞についての語幹である形態素とを結合させて得られる合成語が１つの形態素として扱われるようになる。この処理を行うＭＰＵ３１は形態素修正部１３として機能する。
【００５９】
次に、Ｓ１０４では、検証フレーズ生成処理をＭＰＵ３１が行う。この処理は、Ｓ１０２の処理により得られた形態素列から、若しくは、Ｓ１０３の処理により形態素の修正が行われた場合には当該修正後の形態素列から、検証フレーズを複数種類生成する処理である。複数種類の検証フレーズの生成は、処理対象の形態素列において隣接している形態素の境界のいずれか１つに、助詞である文字『の』を挿入することによって行われる。この処理を行うＭＰＵ３１は検証フレーズ生成部１４として機能する。
【００６０】
次に、Ｓ１０５では、用例検索処理をＭＰＵ３１が行う。この処理は、Ｓ１０４の処理により生成された複数種類の検証フレーズの各々について、ハードディスク装置３４に予め格納されている文章コーパス２２に現れる出現回数を計数する処理である。この処理を行うＭＰＵ３１は用例検索部１５として機能する。
【００６１】
次に、Ｓ１０６では、アクセント結合判定処理をＭＰＵ３１が行う。この処理は、Ｓ１０４の処理による文字『の』の挿入位置に隣接している２つの形態素を結合させると、アクセント結合現象が生じるか否かを判定する処理である。この判定は、当該２つの形態素に各々対応付けられている２つの形態素間のアクセント結合規則２３と、Ｓ１０５の処理による、複数種類の検証フレーズ毎の前記出現回数の計数結果とに基づいて行われる。なお、アクセント結合規則２３はハードディスク装置３４に予め格納されている。この処理を行うＭＰＵ３１はアクセント結合判定部１６として機能し、この処理によるアクセント結合現象が生じるか否かの判定には、前述したアクセント結合判定部１６による判定手法が用いられる。
【００６２】
次に、Ｓ１０７では、Ｓ１０６の判定処理の対象であった形態素列における形態素の境界に、アクセント結合現象が生じるか否かの判定が未だ下されていない境界が依然として残っているか否かを判定する処理をＭＰＵ３１が行う。
【００６３】
ＭＰＵ３１は、このＳ１０７の判定処理において、そのような未判定の境界が残っていると判定したとき（判定結果がＹｅｓのとき）には、Ｓ１０４に処理を戻して前述した処理を繰り返す。このとき、Ｓ１０４の検証フレーズ生成処理では、当該未判定の境界のいずれか１つに文字『の』を挿入することによって、当該形態素列について複数種類の検証フレーズを新たに生成する処理を行う。そして、続くＳ１０５の用例検索処理では、新たに生成された検証フレーズについて、前述の出現回数を計数する処理を行う。そして、続くＳ１０６のアクセント結合判定処理では、Ｓ１０５の処理で計数された、新たに生成された検証フレーズについての出現回数に基づいて、文字『の』が挿入された当該未判定の境界の位置においてアクセント結合現象が生じるか否かの判定処理を行う。
【００６４】
一方、ＭＰＵ３１は、Ｓ１０７の判定処理において、未判定の境界が残っていないと判定したとき（判定結果がＮｏのとき）には、Ｓ１０８に処理を進める。
Ｓ１０８では、結果出力処理をＭＰＵ３１が行う。この処理は、Ｓ１０１の処理により取得された日本語テキストについてのアクセント情報を作成して、コンピュータ３０の例えば出力装置３６やインタフェース装置３７から出力する処理である。このアクセント情報の作成は、Ｓ１０４の処理対象の形態素列を構成している複数の形態素の各々についてのアクセント情報を、Ｓ１０６のアクセント結合判定処理による判定結果に基づいて変更することによって行われる。
【００６５】
上述のＳ１０８の処理を終えると、図６のアクセント付与処理が終了する。
以上のアクセント付与処理をＭＰＵ３１が行うことによって、コンピュータ３０がアクセント付与装置１０として動作し、入力された日本語テキストについてのアクセント情報を作成して出力できるようになる。
【００６６】
以下、アクセント付与装置１０に入力される幾つかの日本語テキストの例を用いて、上述した図６のアクセント付与処理を具体的に説明する。
［１］『衆院復興特別委員会』の場合
まず、日本語テキスト『衆院復興特別委員会』がアクセント付与装置１０に入力された場合について説明する。
【００６７】
Ｓ１０１のテキスト入力処理によって、日本語テキスト『衆院復興特別委員会』が取得されると、次に、Ｓ１０２において形態素解析処理が行われる。この処理によって形態素列『衆院｜復興｜特別｜委員｜会』という解析結果が得られたとする。なお、記号『｜』は、形態素列において隣接している形態素の境界位置を表すものとする。
【００６８】
次に、形態素列『衆院｜復興｜特別｜委員｜会』に対してＳ１０３の形態素修正処理が行われる。ここで、単語辞書２１の形態素テーブルに形態素『会』が接尾語であることを表す情報が含まれていたものとする。この場合、形態素修正処理によって形態素『委員』と形態素『会』との結合が行われ、得られた合成語『委員会』が１つの形態素として扱われる。この結果、形態素列『衆院｜復興｜特別｜委員｜会』は、形態素列『衆院｜復興｜特別｜委員会』に修正される。
【００６９】
次に、以上のようにして得られた形態素列『衆院｜復興｜特別｜委員会』に対し、Ｓ１０４の検証フレーズ生成処理が行われる。この処理により、『衆院』と『復興』との間、『復興』と『特別』との間、及び『特別』と『委員会』との間の各々に文字『の』が挿入されて、検証フレーズ『衆院の復興特別委員会』、『衆院復興の特別委員会』、及び『衆院復興特別の委員会』が生成される。
【００７０】
次に、以上のようにして得られた３つの検証フレーズについて、Ｓ１０５の用例検索処理が行われる。ここでは、上記の３つの検証フレーズの文章コーパス２２における出現回数についての用例検索処理による計数結果が、それぞれ下記の通りであったものとする。
・『衆院の復興特別委員会』………１０４回
・『衆院復興の特別委員会』………０回
・『衆院復興特別の委員会』………０回
【００７１】
次に、形態素列『衆院｜復興｜特別｜委員会』に対し、Ｓ１０６のアクセント結合判定処理が行われる。
この処理では、まず、上記の３つの検証フレーズのうちで、Ｓ１０５の用例検索処理による計数値が最大値１０４回である検証フレーズ『衆院の復興特別委員会』が、前述した判定対象検証フレーズとして注目される。
【００７２】
そして、判定対象検証フレーズ『衆院の復興特別委員会』と、他の検証フレーズ『衆院復興の特別委員会』及び『衆院復興特別の委員会』の各々との出現回数の比が、所定の判定閾値よりも大きいか否かが判定される。但し、ここでは、他の検証フレーズ『衆院復興の特別委員会』及び『衆院復興特別の委員会』の用例検索処理による計数値はどちらも０回である。従って、判定対象検証フレーズについての、当該その他の検証フレーズに対する前述の出現回数の比は、どちらも所定の判定閾値よりも大きいとの判定が下される。
【００７３】
すると、次に、判定対象検証フレーズ『衆院の復興特別委員会』における文字『の』の挿入位置が注目され、この挿入位置が、形態素列『衆院｜復興｜特別｜委員会』における最後尾の境界であるか否かが判定される。この例では、文字『の』の挿入位置は形態素列『衆院｜復興｜特別｜委員会』における最後尾の境界ではないので、日本語テキスト『衆院復興特別委員会』における形態素『衆院』と『復興』との間ではアクセント結合現象が生じないとの判定が下される。
【００７４】
なお、以下の説明では、形態素列においてアクセント結合現象が生じないとの判定が下された形態素の境界には記号『／』を付して、当該記号に隣接する２つの形態素は非結合であることを表現するようにする。従って、以上までの処理によって、『衆院』と『復興』との間ではアクセント結合現象が生じないとの判定が下された形態素列『衆院｜復興｜特別｜委員会』は、『衆院／復興｜特別｜委員会』と表記される。
【００７５】
また、上述した記号『／』を付した形態素列の表現に対応して、形態素列においてアクセント結合現象が生じるとの判定が下された形態素の境界には、記号『／』及び『｜』の両者をどちらも付さないで形態素列を表記するものとする。
【００７６】
次に、形態素列『衆院／復興｜特別｜委員会』に対し、Ｓ１０７の判定処理が行われて、アクセント結合現象が生じるか否かの判定が未だ下されていない境界が依然として残っているとの判定が下される。従って、この場合には、形態素列『衆院／復興｜特別｜委員会』を非結合の境界で分割して、形態素『衆院』と形態素列『復興｜特別｜委員会』とを得る。このうち形態素『衆院』にはアクセント結合現象の発生有無の判定対象となる形態素の境界が存在しない。従って、他方の形態素列『復興｜特別｜委員会』に対し、Ｓ１０４の検証フレーズ生成処理が次に行われる。この処理により、『復興』と『特別』との間及び『特別』と『委員会』との間の各々に文字『の』が挿入されて、検証フレーズ『復興の特別委員会』及び『復興特別の委員会』が生成される。
【００７７】
次に、以上のようにして得られた２つの検証フレーズについて、Ｓ１０５の用例検索処理が行われる。ここでは、上記の２つの検証フレーズの文章コーパス２２における出現回数についての用例検索処理による計数結果が、それぞれ下記の通りであったものとする。
・『復興の特別委員会』………１１０回
・『復興特別の委員会』………０回
【００７８】
次に、形態素列『復興｜特別｜委員会』に対し、Ｓ１０６のアクセント結合判定処理が行われる。
この処理では、まず、上記の２つの検証フレーズのうちで、Ｓ１０５の用例検索処理による計数値が最大値１１０回である検証フレーズ『復興の特別委員会』が、前述した判定対象検証フレーズとして注目される。
【００７９】
そして、判定対象検証フレーズ『復興の特別委員会』と、他の検証フレーズ『復興特別の委員会』との出現回数の比が、所定の判定閾値よりも大きいか否かが判定される。但し、ここでは、他の検証フレーズ『復興特別の委員会』の用例検索処理による計数値は０回である。従って、判定対象検証フレーズについての、当該その他の検証フレーズに対する前述の出現回数の比は、所定の判定閾値よりも大きいとの判定が下される。
【００８０】
すると、次に、判定対象検証フレーズ『復興の特別委員会』における文字『の』の挿入位置が注目され、この挿入位置が、形態素列『復興｜特別｜委員会』における最後尾の境界であるか否かが判定される。この例では、文字『の』の挿入位置は形態素列『復興｜特別｜委員会』における最後尾の境界ではないので、日本語テキスト『衆院復興特別委員会』における形態素『復興』と『特別』との間ではアクセント結合現象が生じないとの判定が下される。従って、形態素列『復興｜特別｜委員会』は『復興／特別｜委員会』となる。
【００８１】
ところで、形態素列『復興｜特別｜委員会』は、隣接している形態素の境界が２つのみであって、且つ、そのうちの一方である形態素『復興』と『特別』との境界の位置においては、上述した処理によってアクセント結合現象が生じないとの判定が下されている。従って、この場合には、形態素列『復興｜特別｜委員会』における他方の境界である、形態素『特別』と『委員会』との境界の位置においてはアクセント結合現象が生じるとの判定が下される。
【００８２】
以上までの処理の結果、形態素列『衆院｜復興｜特別｜委員会』に対するアクセント結合判定処理の最終結果として、『衆院／復興／特別委員会』が得られる。この後に行われるＳ１０７の判定処理の判定結果はＮｏとなり、Ｓ１０８の結果出力処理が行われる。
【００８３】
結果出力処理では、まず、形態素『衆院』、『復興』、『特別』、及び『委員会』の各々についてのアクセントを、単語辞書２１の形態素テーブルから取得する処理が行われる。ここでは、これらの形態素の各々についてのアクセントの取得結果が、下記の通りであったものとする。
・『衆院』………『シューイン』
・『復興』………『フッコー』
・『特別』………『トクベツ』
・『委員会』……『イ’インカイ』
【００８４】
なお、『委員会』は、Ｓ１０３の形態素修正処理によって１つの形態素として扱うようにした合成語であるが、形態素テーブルには、このような、１つの形態素として扱われる合成語についての情報も、予め備えられているものとする。
【００８５】
ここで、前述したアクセント結合判定処理の最終結果として、形態素『特別』と『委員会』との境界ではアクセント結合現象が発生すると判定されている。そこで、形態素『特別』と『委員会』との個々のアクセントを、アクセント結合規則２３に従って変化させる処理が以下のようにして行われる。
【００８６】
まず、形態素『特別』が注目される。この形態素『特別』は、形態素『委員会』との合成語『特別委員会』において『前方』に位置している。また、形態素『特別』の結合先である形態素『委員会』の品詞が少なくとも『接尾語』ではないことは、単語辞書２１の形態素テーブルの情報から判明する。そこで、図４のアクセント結合規則２３のテーブルにおける「見出し語」が『特別』であって「位置」が『前方』であり、且つ「結合先品詞」が『その他』であるレコードが参照される。すると、このレコードには、「結合有無」が『有』が、「変形型」には『無変形』が、そして、「例外」には『無』が、それぞれ格納されていることが分かる。従って、形態素『特別』は、形態素テーブルに登録されていたアクセント『トクベツ』から無変形のままとされる。
【００８７】
次に、形態素『委員会』が注目される。この形態素『委員会』は、形態素『特別』との合成語『特別委員会』において『後方』に位置している。そこで、図４のアクセント結合規則２３のテーブルにおける「見出し語」が『特別』であって、且つ「位置」が『後方』であるレコードが参照される。なお、このレコードの「結合先行詞」は『任意』であるから、形態素『委員会』の品詞を調べる処理は不要である。このレコードには、「結合有無」が『有』が、「変形型」には『無変形』が、そして、「例外」には『無』が、それぞれ格納されていることが分かる。従って、形態素『委員会』も、形態素テーブルに登録されていたアクセント『イ’インカイ』から無変形のままとされる。
【００８８】
なお、形態素『特別』についての参照レコードと形態素『委員会』についての参照レコードとにおける「結合有無」は、どちらも『有』で一致しており相反していない。従って、合成語『特別委員会』のアクセント情報として、形態素『特別』についての無変形のアクセント『トクベツ』と、形態素『委員会』についての無変形のアクセント『イ’インカイ』とを結合させた『トクベツイ’インカイ』が作成される。
【００８９】
以上の処理の結果、日本語テキスト『衆院復興特別委員会』のアクセント情報『シューイン  フッコー  トクベツイ’インカイ』が作成されて出力される。
【００９０】
［２］『採用情報掲載』の場合
次に、日本語テキスト『採用情報掲載』がアクセント付与装置１０に入力された場合について説明する。
【００９１】
Ｓ１０１のテキスト入力処理によって、日本語テキスト『採用情報掲載』が取得されると、次に、Ｓ１０２において形態素解析処理が行われる。この処理によって形態素列『採用｜情報｜掲載』という解析結果が得られたとする。
【００９２】
次に、Ｓ１０３の形態素修正処理が行われるが、形態素列『採用｜情報｜掲載』に対しては形態素列の修正は行われない。
次に、形態素列『採用｜情報｜掲載』に対してＳ１０４の検証フレーズ生成処理が行われる。この処理により、『採用』と『情報』との間、及び『情報』と『掲載』との間の各々に文字『の』が挿入されて、検証フレーズ『採用の情報掲載』及び『採用情報の掲載』が生成される。
【００９３】
次に、以上のようにして得られた２つの検証フレーズについて、Ｓ１０５の用例検索処理が行われる。ここでは、上記の２つの検証フレーズの文章コーパス２２における出現回数についての用例検索処理による計数結果が、それぞれ下記の通りであったものとする。
・『採用の情報掲載』………２６回
・『採用情報の掲載』………２８３回
【００９４】
次に、形態素列『採用｜情報｜掲載』に対し、Ｓ１０６のアクセント結合判定処理が行われる。
この処理では、まず、上記の２つの検証フレーズのうちで、Ｓ１０５の用例検索処理による計数値が最大値２８３回である検証フレーズ『採用情報の掲載』が、前述した判定対象検証フレーズとして注目される。
【００９５】
そして、判定対象検証フレーズ『採用情報の掲載』と、他の検証フレーズ『採用の情報掲載』との出現回数の比が、所定の判定閾値よりも大きいか否かが判定される。ここで、判定閾値が例えば３に設定されていると、判定対象検証フレーズと他の検証フレーズとの出現回数の比は、２８３／２６、すなわち約１１であるので、判定閾値よりも大きいとの判定が下される。
【００９６】
すると、この場合には、次に、判定対象検証フレーズ『採用情報の掲載』における文字『の』の挿入位置が注目され、この挿入位置が、形態素列『採用｜情報｜掲載』における最後尾の境界であるか否かが判定される。この例では、文字『の』の挿入位置は形態素列『採用｜情報｜掲載』における最後尾の境界である。従って、この最後尾の境界においてアクセント結合現象が生じるか否かが、この最後尾の境界に隣接している２つの形態素についてのアクセント結合規則２３に従って判定される。
【００９７】
まず、形態素『情報』が注目される。この形態素『情報』は、形態素『掲載』との合成語『情報掲載』において『前方』に位置している。また、形態素『情報』の結合先である形態素『掲載』の品詞が少なくとも『接尾語』ではないことは、単語辞書２１の形態素テーブルの情報から判明する。そこで、図４のアクセント結合規則２３のテーブルにおける「見出し語」が『情報』であって「位置」が『前方』であり、且つ「結合先品詞」が『その他』であるレコードの「影響」及び「結合有無」が参照される。すると、このレコードには、「影響」には『小』が、そして、「結合有無」には『有』が、それぞれ格納されていることが分かる。
【００９８】
次に、形態素『掲載』が注目される。この形態素『掲載』は、形態素『情報』との合成語『情報掲載』において『後方』に位置している。そこで、図４のアクセント結合規則２３のテーブルにおける「見出し語」が『掲載』であって、且つ「位置」が『後方』であるレコードが参照される。なお、このレコードの「結合先行詞」は『任意』であるから、形態素『情報』の品詞を調べる処理は不要である。従って、「影響」が『大』であり、そして、「結合有無」が『無』であることが分かる。つまり、この場合には、合成語『情報掲載』を構成している２つの形態素の間で「結合有無」の情報が相反している。従って、この場合には、「影響」が『大』である形態素『掲載』についての「結合有無」のデータに基づき、合成語『情報掲載』においてはアクセント結合現象が生じないとの判定が下される。従って、形態素列『採用｜情報｜掲載』は『採用｜情報／掲載』となる。
【００９９】
ところで、形態素列『採用｜情報｜掲載』は、隣接している形態素の境界が２つのみであって、且つ、そのうちの一方である形態素『情報』と『掲載』との境界の位置においては、上述した処理によってアクセント結合現象が生じないとの判定が下されている。従って、この場合には、形態素列『採用｜情報｜掲載』における他方の境界である、形態素『採用』と『情報』との境界の位置においてはアクセント結合現象が生じるとの判定が下される。
【０１００】
以上までの処理の結果、形態素列『採用｜情報｜掲載』に対するアクセント結合判定処理の最終結果として、『採用情報／掲載』が得られる。この後に行われるＳ１０７の判定処理の判定結果はＮｏとなり、Ｓ１０８の結果出力処理が行われる。
【０１０１】
結果出力処理では、まず、形態素『採用』、『情報』、及び『掲載』の各々についてのアクセントを、単語辞書２１の形態素テーブルから取得する処理が行われる。ここでは、これらの形態素の各々についてのアクセントの取得結果が、下記の通りであったものとする。
・『採用』………『サイヨー』
・『情報』………『ジョーホー』
・『掲載』………『ケーサイ』
【０１０２】
ここで、前述したアクセント結合判定処理の最終結果として、形態素『採用』と『情報』との境界ではアクセント結合現象が発生すると判定されている。そこで、形態素『採用』と『情報』との個々のアクセントを、アクセント結合規則２３に従って変化させる処理が以下のようにして行われる。
【０１０３】
まず、形態素『採用』が注目される。この形態素『採用』は、形態素『情報』との合成語『採用情報』において『前方』に位置している。また、形態素『採用』の結合先である形態素『情報』の品詞が少なくとも『接尾語』ではないことは、単語辞書２１の形態素テーブルの情報から判明する。そこで、図４のアクセント結合規則２３のテーブルにおける「見出し語」が『採用』であって「位置」が『前方』であり、且つ「結合先品詞」が『その他』であるレコードが参照される。すると、このレコードには、「結合有無」が『有』が、「変形型」には『無変形』が、そして、「例外」には『無』が、それぞれ格納されていることが分かる。従って、形態素『採用』は、形態素テーブルに登録されていたアクセント『サイヨー』から無変形のままとされる。
【０１０４】
次に、形態素『情報』が注目される。この形態素『情報』は、形態素『採用』との合成語『採用情報』において『後方』に位置している。そこで、図４のアクセント結合規則２３のテーブルにおける「見出し語」が『情報』であって、且つ「位置」が『後方』であるレコードが参照される。なお、このレコードの「結合先行詞」は『任意』であるから、形態素『採用』の品詞を調べる処理は不要である。このレコードには、「結合有無」が『有』が、「変形型」には『１型化』が、そして、「例外」には『無』が、それぞれ格納されていることが分かる。従って、形態素『委員会』では、形態素テーブルに登録されていたアクセント『ジョーホー』に対して１番目のモーラにアクセントが与えられて、アクセント情報が『ジョ’ーホー』に変更される。
【０１０５】
なお、形態素『採用』についての参照レコードと形態素『情報』についての参照レコードとにおける「結合有無」は、どちらも『有』で一致しており相反していない。従って、合成語『採用情報』のアクセント情報として、形態素『採用』についての無変形のアクセント『サイヨー』と、形態素『情報』についての１型に変更されたアクセント『ジョ’ーホー』とを結合させた『サイヨージョ’ーホー』が作成される。
【０１０６】
以上の処理の結果、日本語テキスト『採用情報掲載』のアクセント情報『サイヨージョ’ーホー  ケーサイ』が作成されて出力される。
【０１０７】
［３］『議員定数削減』の場合
次に、日本語テキスト『議員定数削減』がアクセント付与装置１０に入力された場合について説明する。
【０１０８】
Ｓ１０１のテキスト入力処理によって、日本語テキスト『議員定数削減』が取得されると、次に、Ｓ１０２において形態素解析処理が行われる。この処理によって形態素列『議員｜定数｜削減』という解析結果が得られたとする。
【０１０９】
次に、Ｓ１０３の形態素修正処理が行われるが、形態素列『議員｜定数｜削減』に対しては形態素列の修正は行われない。
次に、形態素列『議員｜定数｜削減』に対してＳ１０４の検証フレーズ生成処理が行われる。この処理により、『議員』と『定数』との間、及び『定数』と『削減』との間の各々に文字『の』が挿入されて、検証フレーズ『議員の定数削減』及び『議員定数の削減』が生成される。
【０１１０】
次に、以上のようにして得られた２つの検証フレーズについて、Ｓ１０５の用例検索処理が行われる。ここでは、上記の２つの検証フレーズの文章コーパス２２における出現回数についての用例検索処理による計数結果が、それぞれ下記の通りであったものとする。
・『議員の定数削減』………４９７回
・『議員定数の削減』………３９８回
【０１１１】
次に、形態素列『議員｜定数｜削減』に対し、Ｓ１０６のアクセント結合判定処理が行われる。
この処理では、まず、上記の２つの検証フレーズのうちで、Ｓ１０５の用例検索処理による計数値が最大値４９７回である検証フレーズ『議員の定数削減』が、前述した判定対象検証フレーズとして注目される。
【０１１２】
そして、判定対象検証フレーズ『議員の定数削減』と、他の検証フレーズ『議員定数の削減』との出現回数の比が、所定の判定閾値よりも大きいか否かが判定される。ここで、判定閾値が例えば３に設定されていると、判定対象検証フレーズと他の検証フレーズとの出現回数の比は、４９７／３９８、すなわち約１．２であるので、判定閾値よりも小さいとの判定が下される。
【０１１３】
すると、この場合には、形態素列『議員｜定数｜削減』における最後尾の境界である、形態素『定数』と『削減』との境界において、アクセント結合現象が生じるか否かが、形態素『定数』と『削減』とについてのアクセント結合規則２３に従って判定される。この判定は前述した例と同様に行われる。
【０１１４】
形態素『定数』と『削減』とについてのアクセント結合規則２３は図４のテーブルには明記されていない。そこで、ここでは、合成語『定数削減』においてはアクセント結合現象が生じないとの判定が、アクセント結合規則２３に基づいて下されたものとする。
【０１１５】
ところで、形態素列『議員｜定数｜削減』は、隣接している形態素の境界が２つのみであって、且つ、そのうちの一方である形態素『定数』と『削減』との境界の位置においては、上述した処理によってアクセント結合現象が生じないとの判定が下されている。従って、この場合には、形態素列『議員｜定数｜削減』における他方の境界である、形態素『議員』と『定数』との境界の位置においてはアクセント結合現象が生じるとの判定が下される。
【０１１６】
以上までの処理の結果、形態素列『議員｜定数｜削減』に対するアクセント結合判定処理の最終結果として、『議員定数／削減』が得られる。この後に行われるＳ１０７の判定処理の判定結果はＮｏとなり、Ｓ１０８の結果出力処理が行われる。
【０１１７】
結果出力処理では、まず、形態素『議員』、『定数』、及び『削減』の各々についてのアクセントを、単語辞書２１の形態素テーブルから取得する処理が行われる。ここでは、これらの形態素の各々についてのアクセントの取得結果が、下記の通りであったものとする。
・『議員』………『ギ’イン』
・『定数』………『テース’ー』
・『削減』………『サクゲン』
【０１１８】
ここで、前述したアクセント結合判定処理の最終結果として、形態素『議員』と『定数』との境界ではアクセント結合現象が発生すると判定されている。そこで、形態素『議員』と『定数』との個々のアクセントを、アクセント結合規則２３に従って変化させる処理が前述した例と同様に行われる。
【０１１９】
形態素『議員』と『定数』とについてのアクセント結合規則２３は図４のテーブルには明記されていない。そこで、ここでは、アクセント結合規則２３の汎用的な規則を表す「未知語」のルールに基づくことによって、形態素『議員』のアクセントが『ギイン』に変更され、形態素『定数』のアクセントが『テ’ースー』に変更されたものとする。従って、合成語『議員定数』のアクセント情報として、形態素『議員』の変更後のアクセント『ギイン』と、形態素『定数』についての変更後のアクセント『テ’ースー』とを結合させた『ギインテ’ースー』が作成される。
【０１２０】
以上の処理の結果、日本語テキスト『議員定数削減』のアクセント情報『ギインテ’ースー  サクゲン』が作成されて出力される。
【０１２１】
［４］『国際サッカー連盟』の場合
次に、日本語テキスト『国際サッカー連盟』がアクセント付与装置１０に入力された場合について説明する。
【０１２２】
Ｓ１０１のテキスト入力処理によって、日本語テキスト『国際サッカー連盟』が取得されると、次に、Ｓ１０２において形態素解析処理が行われる。この処理によって形態素列『国際｜サッカー｜連盟』という解析結果が得られたとする。
【０１２３】
次に、Ｓ１０３の形態素修正処理が行われるが、形態素列『国際｜サッカー｜連盟』に対しては形態素列の修正は行われない。
次に、形態素列『国際｜サッカー｜連盟』に対してＳ１０４の検証フレーズ生成処理が行われる。この処理により、『国際』と『サッカー』との間、及び『サッカー』と『連盟』との間の各々に文字『の』が挿入されて、検証フレーズ『国際のサッカー連盟』及び『国際サッカーの連盟』が生成される。
【０１２４】
次に、以上のようにして得られた２つの検証フレーズについて、Ｓ１０５の用例検索処理が行われる。ここでは、上記の２つの検証フレーズの文章コーパス２２における出現回数についての用例検索処理による計数結果が、それぞれ下記の通りであったものとする。
・『国際のサッカー連盟』………０回
・『国際サッカーの連盟』………０回
【０１２５】
次に、形態素列『国際｜サッカー｜連盟』に対し、Ｓ１０６のアクセント結合判定処理が行われる。ここで、検証フレーズ生成処理により生成された検証フレーズの各々についての文章コーパス２２における出現回数は、全てゼロである。従って、この場合には、形態素列における『国際｜サッカー｜連盟』における形態素の全ての境界、すなわち、『国際』と『サッカー』との間、及び『サッカー』と『連盟』との間との両方において、アクセント結合現象が生じるとの判定が下される。
【０１２６】
この結果、形態素列『国際｜サッカー｜連盟』に対するアクセント結合判定処理の最終結果として、形態素間に非結合が存在しない『国際サッカー連盟』が得られる。この後に行われるＳ１０７の判定処理の判定結果はＮｏとなり、Ｓ１０８の結果出力処理が行われる。
【０１２７】
結果出力処理では、まず、形態素『国際』、『サッカー』、及び『連盟』の各々についてのアクセントを、単語辞書２１の形態素テーブルから取得する処理が行われる。ここでは、これらの形態素の各々についてのアクセントの取得結果が、下記の通りであったものとする。
・『国際』………『コクサイ』
・『サッカー』………『サ’ッカー』
・『連盟』………『レンメー』
【０１２８】
ここで、前述したアクセント結合判定処理の最終結果として、形態素『国際』と『サッカー』との境界、及び、形態素『サッカー』と『連盟』との境界の両方でアクセント結合現象が発生すると判定されている。そこで、形態素『国際』、『サッカー』、及び『連盟』の個々のアクセントを、アクセント結合規則２３に従って前の形態素から後ろの形態素へ順番に変化させる処理が前述した例と同様に行われる。
【０１２９】
形態素『国際』、『サッカー』、及び『連盟』についてのアクセント結合規則２３は図４のテーブルには明記されていない。そこで、ここでは、アクセント結合規則２３に基づくことによって、形態素『国際』のアクセントは『コクサイ』のまま変更されず、形態素『サッカー』が『サ’ッカー』に変更され、結合後のアクセントは「コクサイサ’ッカー」となる。さらに『連盟』との結合において、「コクサイサ’ッカー」が平板化され「コクサイサッカー」となり、「レンメー」のアクセントが『レ’ンメー』に変更される。従って、合成語『国際サッカー連盟』のアクセント情報として、『コクサイサッカーレ’ンメー』が作成される。
【０１３０】
以上の処理の結果、日本語テキスト『国際サッカー連盟』のアクセント情報『コクサイサッカーレ’ンメー』が作成されて出力される。
【０１３１】
以上のように、図１のアクセント付与装置１０は、日本語テキストを構成する各形態素間の意味の切れ目を、文章コーパス２２の用例を用いて推定することによって、複数の形態素からなる日本語テキストを２つの形態素からなる合成語にまで落とし込む。アクセント付与装置１０は、このようにして、３単語以上からなる日本語テキストでもアクセント結合現象の適切な解析を可能にしている。
【０１３２】
なお、以上までに説明した実施形態に関し、更に以下の付記を開示する。
（付記１）
日本語テキストの入力を受け付けるテキスト入力部と、
前記受け付けられた日本語テキストに対して形態素解析を行って複数の形態素に分割した形態素列を出力する形態素解析部と、
前記形態素列において隣接している形態素の境界のいずれか１つに文字「の」を挿入することによって、前記形態素列について複数種類の検証フレーズを生成する検証フレーズ生成部と、
前記生成された検証フレーズが、文章コーパス中に現れる出現回数を計数する用例検索部と、
前記形態素列における前記検証フレーズ生成部による文字「の」の挿入位置に隣接している２つの形態素を結合させて得られる合成語のアクセントが該２つの形態素の各々についてのものから変化するアクセント結合現象が生じるか否かを、前記複数種類の検証フレーズ毎の前記出現回数に基づいて判定するアクセント結合判定部と、
前記形態素列を構成している前記複数の形態素の各々についてのアクセント情報を、前記アクセント結合判定部での判定結果に基づいて変更して、前記受け付けられた日本語テキストについてのアクセントを作成して出力する結果出力部と、
を備えることを特徴とするアクセント付与装置。
（付記２）
前記アクセント結合判定部は、前記複数種類の検証フレーズのうちで前記出現回数が最大である検証フレーズについての、その他の検証フレーズに対する前記出現回数の比が、該その他の検証フレーズのいずれにおいても所定の判定閾値よりも大きい場合であって、且つ、該出現回数が最大である検証フレーズが、前記形態素列における前記境界のうち最も後ろの境界に文字「の」を挿入して生成されたものではない場合には、前記出現回数が最大である検証フレーズにおける文字「の」挿入位置においてはアクセント結合現象が生じないとの判定を下すことを特徴とする付記１に記載のアクセント付与装置。
（付記３）
前記アクセント結合判定部は、前記複数種類の検証フレーズのうちで前記出現回数が最大である検証フレーズについての、その他の検証フレーズに対する前記出現回数の比が、該その他の検証フレーズのいずれにおいても所定の判定閾値よりも大きい場合であって、且つ、該出現回数が最大である検証フレーズが、前記形態素列における前記境界のうち最も後ろの境界に文字「の」を挿入して生成されたものである場合には、該最も後ろの境界の位置においてアクセント結合現象が生じるか否かを、予め用意されている、該最も後ろの境界に隣接している２つの形態素についてのアクセントの結合の規則に従って判定することを特徴とする付記１又は２に記載のアクセント付与装置。
（付記４）
前記アクセント結合判定部は、前記複数種類の検証フレーズのうちで前記出現回数が最大である検証フレーズについての、その他の検証フレーズに対する前記出現回数の比が、該その他の検証フレーズのいずれかにおいて所定の判定閾値よりも小さい場合には、前記形態素列における前記境界のうち最も後ろの境界の位置においてアクセント結合現象が生じるか否かを、予め用意されている、該最も後ろの境界に隣接している２つの形態素についてのアクセントの結合の規則に従って判定することを特徴とする付記１から３のうちのいずれか一項に記載のアクセント付与装置。
（付記５）
前記アクセント結合判定部は、前記複数種類の検証フレーズの各々についての前記出現回数が全てゼロである場合には、前記形態素列における前記境界の位置の全てにおいてアクセント結合現象が生じるとの判定を下すことを特徴とする付記１から４のうちのいずれか一項に記載のアクセント判定装置。
（付記６）
前記アクセント結合判定部は、前記形態素列における前記境界が２つのみの場合であって、且つ、そのうちの一方の位置においてはアクセント結合現象が生じないとの判定を下した場合には、そのうちの他方の位置においてはアクセント結合現象が生じるとの判定を下すことを特徴とする付記１から５のうちのいずれか一項に記載のアクセント付与装置。
（付記７）
前記形態素列における前記境界に、該境界の位置においてアクセント結合現象が生じるか否かの判定が下されていないものが残っている場合には、前記検証フレーズ生成部は、前記残っている境界のいずれか１つに文字「の」を挿入することによって前記形態素列について複数種類の検証フレーズを新たに生成し、
前記用例検索部は、前記新たに生成された検証フレーズについて前記出現回数を計数し、
前記アクセント結合判定部は、前記新たに生成された検証フレーズについての出現回数に基づいて、前記残っている境界の位置においてアクセント結合現象が生じるか否かの判定を行う、
ことを特徴とする付記１から６のうちのいずれか一項に記載のアクセント付与装置。
（付記８）
前記検証フレーズ生成部は、前記複数種類の検証フレーズを新たに生成するときには、前記形態素列におけるアクセント結合現象が生じないとの判定が既に下されている境界の位置において該形態素列を２つに分割し、分割された２つの形態素列の各々について、前記検証フレーズを新たに生成することを特徴とする付記７に記載のアクセント付与装置。
（付記９）
前記形態素解析部が出力した形態素列を構成している複数の形態素のうちに、単体では語彙的な意味をなしておらず、他の形態素と共に用いられる形態素が含まれていた場合に、該形態素と該他の形態素とを結合させて得られる合成語を１つの形態素として扱うようにすることによって、該形態素列の修正を行う形態素修正部を更に備え、
前記検証フレーズ生成部は、前記形態素修正部が修正した形態素列について前記検証フレーズを生成する、
ことを特徴とする付記１から８のうちのいずれか一項に記載のアクセント付与装置。
（付記１０）
前記形態素修正部は、前記形態素解析部が出力した形態素列を構成している複数の形態素に接辞である形態素が含まれていた場合には、該接辞である形態素と該複数の形態素のうちの該接辞についての語幹である形態素とを結合させて得られる合成語を１つの形態素として扱うようにすることによって、該形態素列の修正を行うことを特徴とする付記９に記載のアクセント付与装置。
（付記１１）
入力された日本語テキストに対して形態素解析を行って複数の形態素に分割した形態素列を生成し、
前記生成された形態素列において隣接している形態素の境界のいずれか１つに文字「の」を挿入することによって、前記生成された形態素列について複数種類の検証フレーズを生成し、
前記生成された複数種類の検証フレーズが、文章コーパス中に現れる出現回数を計数し、
前記複数種類の検証フレーズを生成したときに挿入した文字「の」についての前記生成された形態素列における挿入位置に隣接している２つの形態素を結合させて得られる合成語のアクセントが該２つの形態素の各々についてのものから変化するアクセント結合現象が生じるか否かを、前記複数種類の検証フレーズ毎の前記出現回数に基づいて判定し、
前記生成された形態素列を構成している前記複数の形態素の各々についてのアクセント情報を、前記アクセント結合現象が生じるか否かの判定結果に基づいて変更して、前記入力された日本語テキストについてのアクセントを作成して出力する、
ことを特徴とするアクセント付与方法。
（付記１２）
前記アクセント結合現象が生じるか否かの判定では、前記複数種類の検証フレーズのうちで前記出現回数が最大である検証フレーズについての、その他の検証フレーズに対する前記出現回数の比が、該その他の検証フレーズのいずれにおいても所定の判定閾値よりも大きい場合であって、且つ、該出現回数が最大である検証フレーズが、前記生成された形態素列における前記境界のうち最も後ろの境界に文字「の」を挿入して生成されたものではない場合には、前記出現回数が最大である検証フレーズにおける文字「の」挿入位置においてはアクセント結合現象が生じないとの判定を下すことを特徴とする付記１１に記載のアクセント付与方法。
（付記１３）
前記アクセント結合現象が生じるか否かの判定では、前記複数種類の検証フレーズのうちで前記出現回数が最大である検証フレーズについての、その他の検証フレーズに対する前記出現回数の比が、該その他の検証フレーズのいずれにおいても所定の判定閾値よりも大きい場合であって、且つ、該出現回数が最大である検証フレーズが、前記生成された形態素列における前記境界のうち最も後ろの境界に文字「の」を挿入して生成されたものである場合には、該最も後ろの境界の位置においてアクセント結合現象が生じるか否かを、予め用意されている、該最も後ろの境界に隣接している２つの形態素についてのアクセントの結合の規則に従って判定することを特徴とする付記１１又は１２に記載のアクセント付与方法。
（付記１４）
前記アクセント結合現象が生じるか否かの判定では、前記複数種類の検証フレーズのうちで前記出現回数が最大である検証フレーズについての、その他の検証フレーズに対する前記出現回数の比が、該その他の検証フレーズのいずれかにおいて所定の判定閾値よりも小さい場合には、前記生成された形態素列における前記境界のうち最も後ろの境界の位置においてアクセント結合現象が生じるか否かを、予め用意されている、該最も後ろの境界に隣接している２つの形態素についてのアクセントの結合の規則に従って判定することを特徴とする付記１１から１３のうちのいずれか一項に記載のアクセント付与方法。
（付記１５）
前記生成された形態素列を構成している複数の形態素のうちに、単体では語彙的な意味をなしておらず、他の形態素と共に用いられる形態素が含まれていた場合に、該形態素と該他の形態素とを結合させて得られる合成語を１つの形態素として扱うようにすることによって、前記生成された形態素列の修正を行い、
前記複数種類の検証フレーズの生成では、前記修正された形態素列について前記複数種類の検証フレーズを生成する、
ことを特徴とする付記１１から１４のうちのいずれか一項に記載のアクセント付与方法。
（付記１６）
入力された日本語テキストに対して形態素解析を行って複数の形態素に分割した形態素列を生成し、
前記生成された形態素列において隣接している形態素の境界のいずれか１つに文字「の」を挿入することによって、前記生成された形態素列について複数種類の検証フレーズを生成し、
前記生成された複数種類の検証フレーズが、文章コーパス中に現れる出現回数を計数し、
前記複数種類の検証フレーズを生成したときに挿入した文字「の」についての前記生成された形態素列における挿入位置に隣接している２つの形態素を結合させて得られる合成語のアクセントが該２つの形態素の各々についてのものから変化するアクセント結合現象が生じるか否かを、前記複数種類の検証フレーズ毎の前記出現回数に基づいて判定し、
前記生成された形態素列を構成している前記複数の形態素の各々についてのアクセント情報を、前記アクセント結合現象が生じるか否かの判定結果に基づいて変更して、前記入力された日本語テキストについてのアクセントを作成して出力する、
処理をコンピュータに実行させるプログラム。
（付記１７）
前記アクセント結合現象が生じるか否かの判定では、前記複数種類の検証フレーズのうちで前記出現回数が最大である検証フレーズについての、その他の検証フレーズに対する前記出現回数の比が、該その他の検証フレーズのいずれにおいても所定の判定閾値よりも大きい場合であって、且つ、該出現回数が最大である検証フレーズが、前記生成された形態素列における前記境界のうち最も後ろの境界に文字「の」を挿入して生成されたものではない場合には、前記出現回数が最大である検証フレーズにおける文字「の」挿入位置においてはアクセント結合現象が生じないとの判定を下すことを特徴とする付記１６に記載のプログラム。
（付記１８）
前記アクセント結合現象が生じるか否かの判定では、前記複数種類の検証フレーズのうちで前記出現回数が最大である検証フレーズについての、その他の検証フレーズに対する前記出現回数の比が、該その他の検証フレーズのいずれにおいても所定の判定閾値よりも大きい場合であって、且つ、該出現回数が最大である検証フレーズが、前記生成された形態素列における前記境界のうち最も後ろの境界に文字「の」を挿入して生成されたものである場合には、該最も後ろの境界の位置においてアクセント結合現象が生じるか否かを、予め用意されている、該最も後ろの境界に隣接している２つの形態素についてのアクセントの結合の規則に従って判定することを特徴とする付記１６又は１７に記載のプログラム。
（付記１９）
前記アクセント結合現象が生じるか否かの判定では、前記複数種類の検証フレーズのうちで前記出現回数が最大である検証フレーズについての、その他の検証フレーズに対する前記出現回数の比が、該その他の検証フレーズのいずれかにおいて所定の判定閾値よりも小さい場合には、前記生成された形態素列における前記境界のうち最も後ろの境界の位置においてアクセント結合現象が生じるか否かを、予め用意されている、該最も後ろの境界に隣接している２つの形態素についてのアクセントの結合の規則に従って判定することを特徴とする付記１６から１８のうちのいずれか一項に記載のプログラム。
（付記２０）
前記生成された形態素列を構成している複数の形態素のうちに、単体では語彙的な意味をなしておらず、他の形態素と共に用いられる形態素が含まれていた場合に、該形態素と該他の形態素とを結合させて得られる合成語を１つの形態素として扱うようにすることによって、前記生成された形態素列の修正を行う処理を更に前記コンピュータに実行させ、
前記複数種類の検証フレーズの生成では、前記修正された形態素列について前記複数種類の検証フレーズを生成する、
ことを特徴とする付記１６から１９のうちのいずれか一項に記載のプログラム。
【符号の説明】
【０１３３】
１０  アクセント付与装置
１１  テキスト入力部
１２  形態素解析部
１３  形態素修正部
１４  検証フレーズ生成部
１５  用例検索部
１６  アクセント結合判定部
１７  結果出力部
２１  単語辞書
２２  文章コーパス
２３  アクセント結合規則
３０  コンピュータ
３１  ＭＰＵ
３２  ＲＯＭ
３３  ＲＡＭ
３４  ハードディスク装置
３５  入力装置
３６  出力装置
３７  インタフェース装置
３８  記録媒体駆動装置
３９  バスライン
４０  可搬型記録媒体
【図１】
0005906869.tif 000002
【図２】
0005906869.tif 000003
【図３】
0005906869.tif 000004
【図４】
0005906869.tif 000005
【図５】
0005906869.tif 000006
【図６】
0005906869.tif 000007